(57)【要約】  フォトダイオード(５４，５６，５８)を用いた、ＷＤＭ通信システム１０内のノード(１２，１４，１６)における光信号６０を監視する装置および方法。各フォトダイオード(５４，５６，５８)は、信号の光パワーを測定すべく、光信号のビット周期の数倍に比べて短い応答時間を有する。フォトダイオード(５４，５６，５８)は、システム１０内の多くのノード(１２，１４，１６)を監視するために用いられ、遠隔にあるノードの光信号の監視を可能とする。フォトダイオード(５４，５６，５８)は、特定の光信号６０の最大光パワーＰ1と最小光パワーＰ0の値を測定することによって、光信号６０の光信号対光雑音比(ＯＳＮＲ)を計算可能とする。
2008521304.tif 000002
【特許請求の範囲】
【請求項１】
ＷＤＭ通信システムにおけるノード（１２，１４，１６）で光信号（６０）の光パワーを監視する装置（１０）であって、
選択されたチャネルにおける光信号対光雑音比（ＯＳＮＲ）を測定するフォトダイオード（５４，５６，５８）を備え、
前記フォトダイオードは、前記光信号（６０）の２２ビット周期以下の応答時間を有し、前記光信号（６０）における最大光パワー（Ｐ１）と最小光パワー（Ｐ０）とを測定するよう構成されており、測定された前記最大光パワー（Ｐ１）と前記最小光パワー（Ｐ０）とから、前記選択されたチャネルにおける前記光信号対光雑音比を算出することを特徴とする装置。
【請求項２】
前記フォトダイオードは、前記光信号（６０）の１．５ビット周期乃至２２ビット周期の応答時間を有していることを特徴とする請求項１に記載の装置。
【請求項３】
前記フォトダイオードは、前記光信号（６０）の１．５ビット周期乃至５ビット周期の応答時間を有していることを特徴とする請求項１又は２に記載の装置。
【請求項４】
前記フォトダイオードは、前記光信号（６０）の０．５ビット周期未満の応答時間を有していることを特徴とする請求項１に記載の装置。
【請求項５】
各ノード（１２，１４，１６）は、光出力を備えた光増幅器（２２，２４，２６）を含み、前記光出力に対して前記フォトダイオードが設けられていることを特徴とする請求項１乃至４のいずれか１項に記載の装置。
【請求項６】
前記フォトダイオード（５４，５６，５８）は、前記ＷＤＭ通信システム（１０）における特定の光信号（６０）の光パワーを測定するための光フィルタ（４８，５０，５２）を含むことを特徴とする請求項１乃至５のいずれか１項に記載の装置。
【請求項７】
前記光フィルタは、薄膜フィルタであることを特徴とする請求項７に記載の装置。
【請求項８】
ＷＤＭ光通信ネットワークであって、
請求項１乃至７のいずれか１項に記載された前記装置を備えた１つ以上のノードを含むことを特徴とするＷＤＭ光通信ネットワーク。
【請求項９】
ＷＤＭ光通信ネットワークにおけるノードであって、
請求項１乃至７のいずれか１項に記載された前記装置を含むことを特徴とするノード。
【請求項１０】
複数のノード（１２，１４，１６）を備えたＷＤＭ通信システムにおいて光信号（６０）を監視する方法であって、前記ノードの少なくとも１つは、前記光信号（６０）の光パワーを測定する測定手段を備えており、
前記方法は、
（ａ）前記光信号の２２ビット周期未満となる応答時間を有し、同一のチャネルにおいて前記光信号（６０）の光パワーと光雑音を測定するフォトダイオードを、前記測定手段に設けるステップと、
（ｂ）前記光信号（６０）の最大光パワー（Ｐ１）を測定するステップと、
（ｃ）前記同一のチャネルにおいて前記光信号（６０）の最小光パワー（Ｐ０）を測定するステップと、
（ｄ）測定された前記最大光パワー（Ｐ１）と前記最小光パワー（Ｐ０）とから、前記選択されたチャネルにおける光信号対光雑音比（ＯＳＮＲ）を算出するステップと
を含むことを特徴とする方法。
【請求項１１】
前記フォトダイオードは、前記光信号（６０）の０．５ビット周期未満の応答時間を有していることを特徴とする請求項１０に記載の方法。
【請求項１２】
各ノード（１２，１４，１６）に、光出力を備えた光増幅器（２２，２４，２６）を設けるステップをさらに含み、
前記光増幅器の前記光出力に対して前記フォトダイオードが設けられていることを特徴とする請求項１０又は１１に記載の方法。
【請求項１３】
光フィルタ（４８，５０，５２）を設けるステップと、
前記光フィルタを用いて特定の光信号（６０）を選択し、前記特定の光信号における最大光パワーと最小光パワーとを測定するステップと、
前記光信号において選択されたチャネルについて光信号対光雑音比（ＯＳＮＲ）を算出するステップと
を含むことを特徴とする請求項１０乃至１２のいずれか１項に記載の方法。
【請求項１４】
前記光フィルタは、薄膜フィルタであることを特徴とする請求項１３に記載の方法。
【請求項１５】
前記フォトダイオードは各ノードに設けられており、少なくとも１つの前記ノードにおいて前記光信号（６０）の光信号対光雑音比が遠隔的に測定され、前記複数のノードのそれぞれからの前記光信号対光雑音比を比較することを特徴とする請求項１０乃至１３のいずれか１項に記載の方法。
【請求項１６】
前記ＷＤＭ光通信システムにおける選択されたチャネルを介した前記複数のノード（１２，１４，１６）からの前記光信号（６０）を監視するステップをさらに含むことを特徴とする請求項１０乃至１５のいずれか１項に記載の方法。
【発明の詳細な説明】
【技術分野】
【０００１】
本発明はＷＤＭ光通信網における光信号を監視する技術に関するものである。
【背景技術】
【０００２】
既知のＷＤＭ光通信網は送信ノードと受信ノードを備え、その間で光信号を送受信する。高密度波長分割多重(ＤＷＤＭ)通信網においては、送信ノードは複数の信号を発生するために複数のレーザを備えていて、それぞれが受信ノードへ送信するための特定のチャネルに対応している。送信ノードにおいては、それぞれの信号は合波器へ入力されて１つのブロードバンド信号を形成し、単一の光ファイバへ入力される。その後、ブロードバンド信号は送信ノード内のエルビウム添加光増幅器（ＥＤＦＡ）へ入力されて、数千キロメートル離れた受信ノードへと送信される。
【０００３】
ＥＤＦＡから出射されたブロードバンド信号の光パワーのほんの数％は送信ノード内のパワー監視ユニット(ＰＭＵ)に入力される。ＰＭＵはブロードバンド信号内の複数の信号のそれぞれの平均パワーを測定する。光信号対光雑音比(ＯＳＮＲ)を測定するためには、１つの信号の平均パワーを測定して、その信号と周波数スペクトル上で隣接する雑音の平均パワーと比較する。その後、ＯＳＮＲの値を計算で求めることが出来る。
【０００４】
複数の信号のそれぞれに対するＯＳＮＲは、光信号が送信される光ファイバの劣化状態の尺度を提供するために用いられる。ＰＭＵは通常はラックに搭載されたカードであり、高価な光−電気部品を用いているので１０，０００ポンドにもなる高価なものである。
【０００５】
送信ノードと受信ノードの間の距離が例えば８０ｋｍよりも離れると、ブロードバンド信号のパワーを保持するために途中に中間ノードが必要となる。中間ノードおよび受信ノードはブロードバンド信号を増幅するためにそれぞれＥＤＦＡを有していて、複数の信号のそれぞれのパワーを測定してＯＳＮＲを計算するためにＰＭＵをも備えている。送信ノードと受信ノードが数千キロメートルも離れていると中間ノードは数１０箇所必要になる。各ノードのそれぞれのＥＤＦＡは伝送ファイバと光部品における損失を補償するために複数の信号のそれぞれのパワーを増加させるが、全体の雑音レベルも増加させることになる。
【発明の開示】
【発明が解決しようとする課題】
【０００６】
光信号のパワーを監視し、引き続きＯＳＮＲを計算する従来の方法にはいくつかの問題がある。そのような計算は、ある特定の信号内の雑音レベルがその信号に隣接する光周波数での雑音レベルと同じであるという仮定に依拠している。この仮定は近似であり、必ずしも成り立つものではなく、このことがＯＳＮＲの計算に不正確さをもたらすことになる。さらに、各中間ノードのＰＭＵを用いることは、複数の信号のそれぞれのパワーを測定するために多大の費用を要する方法である。受信ノードが送信ノードから３，０００kｍも離れている場合のように多くの中間ノードが必要になる場合にはこれは特に問題になる。
【０００７】
上記の欠陥を含まざるを得ない、光信号のパワーを監視して引き続きＯＳＮＲを計算する従来の既知の方法の例を以下に並べる。
【０００８】
具体的には、ＥＰ１３７６８９９(Ａｌｃａｔｅｌ)では、光信号は狭い電気的帯域に制限されているが雑音はより広い範囲に存在するという仮定に依拠している。それ故、電気的なフィルタリングによって両成分を独立に測定でき、ＯＳＮＲを算出することが可能である。これは非常に正確ということにはならない。その理由は、実際に測定される雑音値はフィルタリングされていない雑音値であり、スペクトル的に信号周波数から除かれるからである。それ故に真の「同じ波長」でのＯＳＮＲを得ることは出来ない。上記文献の方法が本発明とは異なる点は、本発明では対象となる波長（周波数）でのＯＳＮＲを直接測定する方法を提供しているという点である。さらに、対象となる特定の周波数でＯＳＮＲがどのようにして測定され、或いは計算されるかに関する方法の開示がない。さらにその特定のチャネルのＯＳＮＲを計算する、またはその大きさを得るために単一チャネルの最大又は最小光パワーレベルを用いることに関して言及されていない。
【０００９】
ＥＰ０７６２６７７(Ｆｕｊｉｔｓｕ)はフォトダイオードアレイを備えた分波回折格子を用いて直接的なＯＳＮＲ測定値を得る既知の方法の１例である。記述されている方法はあるチャネルの光信号をそのチャネルに近い雑音成分と比較するものである（図１に関する７ページ、３１から３３行を参照のこと。）。したがってこの方法は上に概略を記したのと同じ不正確さを伴っている。
【００１０】
ＵＳ６，３９６，０５１(Ｓｙｃａｍｏｒｅ)も或るチャネルのパワーとそのチャネルに隣接するチャネルの雑音電力とを測定してＯＳＮＲを測定する従来方法に関するものである(７コラム、数式２、および２７から２８行を参照のこと）。この引用特許の装置は第９コラムの３６行から４２行にて議論されているように、あるチャネルのパワーを雑音から切り離して測定するために可変同調フィルタも必要とする。
【００１１】
ＵＳ２００３／１６１１６３(Ｌａｍｂｄａ  Ｃｒｏｓｓｉｎｇ  Ｌｔｄ．)もＯＳＮＲを図る従来方法に関するものであるが、しかし、６ページ、段落７１にて議論され、および式１に示されるように、多数の光パラメータを測定するための、非常に複雑で費用をかけた分割器(スプリッタ)と可変同調フィルタを含んでいる。式１では、Ｓ1は或る特定のフィルタが同調したときの光信号であり、一方Ｓｊは対象とするチャネル内の残りの光信号である。このことは或る特定のチャネル内の雑音電力は測定されないことを示し、隣接チャネルの雑音電力だけが測定されることを示す。
【００１２】
上記の既知の方法は全て大変高価であり、ＯＳＮＲを測定するのには不正確な方法である。
【００１３】
本発明の目的は光信号の光信号対光雑音比を測定するための方法と装置であって、他の既知の方法と装置に比べて精度が改善され、設置にかかる費用が安い方法と装置を提供することである。
【課題を解決するための手段】
【００１４】
本発明の第１の側面によれば、添付の請求項にて示されているように、請求項にて示されている特性を持つフォトダイオードを用いた装置が提供される。
【００１５】
本発明の第２の側面によれば、添付の請求項にて示されているように、請求項にて示されている特性を持つフォトダイオードを用いた方法が提供される。
【００１６】
本発明の第３の側面によれば、添付の請求項にて示されているように、請求項にて請求されている装置を用いたＷＤＭ通信システムが提供される。
【００１７】
本発明の装置と方法はシステムの送信ノード、中間ノードおよび受信ノードにおいてＯＳＮＲを測定するために用いることが出来るＷＤＭ通信システムの光信号を監視する簡便な方法を提供するものである。フォトダイオードは数１０ポンド程度の費用しかかからず、１０，０００ポンド以上もかかる従来の通信網のパワー監視ユニット(ＰＭＵ)に比べると相対的に安価である。
【００１８】
本発明に拠れば、光信号対光雑音比(ＯＳＮＲ)は、同じ光周波数で、ある選択されたチャネル内の光信号の最大光パワー(Ｐ1)と最小光パワー(Ｐ0)の値を測定することによって計算される。最大光パワー(Ｐ1)は信号光パワー(Ｐl)と雑音光パワー(Ｐ0)の和を表わし、一方、最小光パワー(Ｐ0)は雑音光パワーだけを表わす。そこでＯＳＮＲが計算されて、光信号の品質が決定される。これによってＯＳＮＲを計算するために、以前の既知の方法に比べると改良された方法を用いることになる。これは、最大および最小光パワー(Ｐ１とＰ0)の測定値が、光信号と同じ光周波数での光雑音パワーを含むためであり、ＯＳＮＲを計算する従来の方法とは対比すべきものである。
【００１９】
フォトダイオードの応答時間は２２ビット周期よりも短いのが好適である。この場合は１行に２２個の論理値１を含む光信号のサンプリングが可能となる。通常は、１行に２２個以上の論理値１が存在すると、光信号はＷＤＭシステムによってスクランブルされる。上記又はそれぞれのフォトダイオードの応答時間はフォトダイオードが光信号のパワーを測定できるための時間間隔を表わす。理想的にはフォトダイオードは光信号のビット周期の半分よりも短い程度の応答時間を持つべきである。しかしながら、そのようなフォトダイオードは、光信号のビット周期の１／２から光信号のビット周期の２２倍という、より実際的な範囲内に応答時間を有するフォトダイオードに比べてはるかに高価である。
【００２０】
本発明の好適なる実施例においては、上記の、または各フォトダイオードは光信号のビット周期の１／２から光信号のビット周期の５倍の間の応答時間を有する。そのような好適なる応答時間を用いるとリターン・ツー・ゼロ(ＲＺ)のデータ型式を有する光信号のサンプリングを効率よく行うことが出来る。
【００２１】
本発明の好適なる実施例においては、光出力を有する光増幅器が１つ以上のノードに設けられて、その光増幅器の出力側にフォトダイオードが設けられている。
【００２２】
特定の光信号を選択できるように光フィルタが備わっている。そのようなフィルタを用いると、複数の光信号を含むＷＤＭシステムの、或る選ばれた信号(６０)のパワーの測定をすることが出来る。この光フィルタはＤＷＤＭシステムにとっては特に有用なものである。フィルタの好適なる形態は薄膜フィルタである。
本発明はＷＤＭシステムの単一のチャネルを経由して、複数のノードからの光信号を監視することが出来る。このことはＷＤＭシステムを監視する経済的な方法であることを示している。信号を増幅するためにＷＤＭシステム内で多数の中間ノードが有る場合や、送信ノードと受信ノードが遠くに離れている場合に、これは特に重要である。
【００２３】
本発明の第２の側面によれば、ノードの光信号のビット周期の２２倍よりも短い応答時間を有するフォトダイオードを有するノードを備え、前記フォトダイオードは前記ノードの光信号の最大および最小光パワーを測定する手段を有し、光信号対光雑音比を計算する計算手段を備えていることを特徴とするＷＤＭ通信システムが提供される。
【発明を実施するための最良の形態】
【００２４】
図１を参照すると、全体的に１０で示されている、網の或る選択された伝送チャネル内の光信号（６０）のパワーを監視するための装置(９)を取り込んでいるＷＤＭ通信システムの模式図が示されている。通信システム１０は、光コア分割多重(ＯＣＤＭ）のような単一ファイバ上を、同時に多数の波長(λ)を伝送するための高密度ＷＤＭ（ＤＷＤＭ）又は低密度ＷＤＭ（ＣＷＤＭ）又はその他の技術を用いて稼動しているとしよう。ＤＷＤＭというのは例えば２００ＧＨＺ，１００ＧＨｚ，５０ＧＨｚまたは２５ＧＨｚの波長間隔を持つ伝送を、ＣＷＤＭというのは例えば２，５００ＧＨｚの波長間隔を持つ伝送を意味する。
【００２５】
光通信システム１０は送信ノード１２、受信ノード１４、および中間ノード１６を備えている。受信ノード１４は送信ノード１２から１６０ｋｍの距離に位置し、中間ノード１６はそのほぼ中間に位置している。送信ノード１２は光信号を送信するためにＴ1からＴnという符号のついた一連のレーザ１８、合波器２０およびエルビウム添加ファイバ増幅器（ＥＤＦＡ）２２を備えている。レーザの数（ｎ）は受信ノード１４へ伝送すべきチャネルの数に対応している。レーザ１８からの信号は合波器２０に入力され、合波器は単一の光ファイバ２４を経由してＥＤＦＡ２２へブロードバンド信号を出力する。送信ノード１２のＥＤＦＡ２２は中間ノード１６へと出力する。中間ノード１６は送信ノード１２からのブロードバンド信号を増幅するためにそれぞれＥＤＦＡ２６を備えている。こんどは、中間ノード１６は受信ノード１４へと出力する。受信ノード１４はそれぞれのＥＤＦＡ２８、分波器３０、およびＲ1からＲnという符号のついた一連の受信ユニット３２を備えている。受信ユニットの数（ｎ）は送信ノード１２から受信すべきチャネルの数（ｎ）に対応している(リンクの途中で非対称なアド／ドロップが生じない限り)。受信ノード１４のＥＤＦＡ２８は中間ノード１６からのブロードバンド信号を増幅し、分波器３０へ出力する。そこでは、分波器３０は受信ユニット３２へ出力する。
【００２６】
ＥＤＦＡ２２，２６，２８のそれぞれは既知の光タップ３４，３６，３８を備えていて、光タップはパワーを測定する目的で、関連のＥＤＦＡ２２，２６，および２８から光パワーの通常は約１から５％を出力する。ＥＤＦＡ２２，２８の光タップ３４，３８は既知種類のそれぞれのパワー監視ユニット（ＰＭＵ）４０，４２へ出力する。ＰＭＵ４０，４２は(ｎ)個の異なるチャネルのそれぞれの平均パワーを測定し、それぞれの制御線４４，４６を経由して、レーザ１８のパワーを制御するため、および必要な場合は受信器３２の特性を制御するための帰還回路を提供する。ＥＤＦＡ２２，２６，２８の光タップ３４，３６，３８のそれぞれにはそれぞれ薄膜フィルタ（ＴＦＦ）４８，５０，５２が取り付けられていて、このフィルタは、本発明による光パワー測定のために、選択されたチャネルの光パワーの１部をそれぞれのフォトダイオード５４，５６，５８へ取り出す。図にはＴＦＦ４８，５０，５２が示されているが、他の可変同調フィルタ又は回折格子をベースにした分波器を、ＴＦＦ４８，５０、５２と同じ機能を果たすために用いることが出来ることは理解されよう。ＴＦＦ４８，５０，５２のそれぞれはそのチャネルの光信号を監視するために必要であるから、その特定のチャネルに固定される。特定のチャネルにとって必要なＴＦＦ４８，５０，５２の仕様を決めるための必要条件は、当業者には良く知られていることである。
【００２７】
図２は図１に示した通信網における１つのチャネルの光信号６０を測定する方法を例示した図である。光信号６０はノン・リターン・ツー・ゼロ（ＮＲＺ）データ型式を有している。光信号６０は、光信号の監視が特定のフォトダイオード５４，５６，５８によって行うことができるように、特定のＴＦＦ４８，５０，５２によって選択された１つのチャネルを表わしている。フォトダイオード５４，５６，５８は或る入射光パワーが或る光電流を発生するようにあらかじめ決められた応答特性を有している。それ故に、光電流を測定すれば入射光パワーの大きさが分かるようになっている。光電流は、光パワーを測定するための測定手段を構成する電流形を用いて測定できる。光信号６０はシステム１０のレーザ１８の１つによって送信された典型的な信号を表わし、全体に６２という符号を付した一連のビットからなる。各ビット６２はビット周期ｔbを持つが、これは１０Ｇｂ／ｓの光信号においては０．１ｎｓの時間間隔である。各フォトダイオード５４，５６，５８による光信号６０のパワー測定は図２の線６４によって表わされているが、これはフォトダイオード５４，５６，５８の応答時間ｔRを表わしている。応答時間ｔRはフォトダイオードの特性量であり、（おもに）フォトダイオードの材料のキャリア寿命に依存するものである。図２においてはｔRは光信号６０のビット周期ｔbよりも約３倍短いものとして示されている。１０Ｇｂ／ｓ光信号に対するｔRの適当な時間は約１０から３０ｐｓであろう。
【００２８】
図２において、光信号６０は１行に２つの論理値１と３つの論理値０を含んでいる。それゆえに、フォトダイオード５４，５６，５８の応答時間がビット周期より少し長くても、光信号の最大パワー(Ｐ1)と最小パワー(Ｐ0)は、頻度は下がるにしても尚測ることが出来る。光信号をサンプリング可能なフォトダイオード５４，５６，５８の応答時間の限界は、光信号６０が１行に多くの論理値１と０を持つ統計的な確率の関数である。この限界に対する１つの目安は、１行に２２個を超える数の論理値１が発生するとＷＤＭシステムは信号をスクランブルすることである。１行に２２個の論理値１が発生するのは比較的頻度が低く、光信号（６０）の最大パワーと最小パワー(Ｐ1とＰ0)が実現できなくなるのは比較的頻度が低いことであると理解できるであろう。パワー測定のための時間長の妥当な折衷案は応答時間の最大値が光信号６０のビット周期の５倍未満である。
【００２９】
図２はＮＲＺデータ形式を持つ光信号６０を示しているが、本発明は、ｔRが対応して短くなれば、リターン・ツー・ゼロ（ＲＺ）データ型式を持つ光信号にも適用可能であるということは理解できるであろう。そのような応答時間はビット周期の半分未満であろう。
【００３０】
フォトダイオード５４，５６，５８は光信号６０の高光パワー(Ｐ1)と低光パワー(Ｐ0)を記録して光信号の光信号対光雑音比 (ＯＳＮＲ)を測定する。高光パワー(Ｐ1)は光信号パワーと光雑音パワーの結合を表わし、一方低光パワー(Ｐ0)は光雑音のパワーを表わす。そこで比(Ｐ1-Ｐ0)/Ｐ0を計算するとこれはＯＳＮＲの値となる。ＥＤＦＡ２２，２６，２８における雑音の減衰の寿命がビット周期ｔbに比べて著しく長いので、雑音光パワーは与えられたチャネルに常に存在する。典型的には、光雑音パワーは数マイクロ秒内に減衰するが、信号パワーは１０Ｇｂ／ｓの信号の場合１ナノ秒の数分の１以内で減衰する。ＴＦＦ４８，５０，５２は、信号が存在しないチャネルを含む帯域の或る特定の１部を監視するために選択された場合には、フォトダイオード５４，５６，５８は帯域内の雑音パワーを監視するために用いることが出来る。
【００３１】
受信ノード１４が送信ノード１２から数千キロメートルの距離に位置している場合には、ＥＤＦＡ２６を有する中間ノード１６が数１０存在することになるだろう。このシナリオでは、光通信システム１０を監視する１つの方法を提供するために、各チャネルの光パワーが各中間ノード１６で測定できる。図３は６６で表わされる一連の９箇所の中間ノードで測定された、或る特定の信号に対するＯＳＮＲの図表による表示である。ＯＳＮＲ測定値をｙ軸に、ノード番号Ｎをｘ軸に示す。各フォトダイオードで測定されたＯＳＮＲは受信ノード１４に送信され、そこでグラフ６６のようにプロットされる。そのような伝送はＷＤＭシステムの専用チャネルを経由して行うことが出来る。グラフ６６から４番目の中間ノード１６で光特性に落ち込みがあり、それは４番目或いは５番目の中間ノード１６での故障か、又はその間の伝送路における故障に原因するものであることが分かる。それに従って問題箇所を修理するために技術者が派遣される。
【００３２】
このように、フォトダイオード５４，５６，５８は通信システム１０を監視し、光パワーを測定し、ＯＳＮＲを計算するための簡便な方法を提供することが分かる。これに従って信号品質が低下した場合には警報を発することが出来る。フォトダイオードはＰＭＵ４０，４２に比べて相対的に安価であり、実装する費用もはるかに安い。送信ノード１２と受信ノード１４が遠く離れていて、多くの中間ノード１６が必要となる場合に、これは特に重要である。
【００３３】
本発明による光ドメインにおけるＯＳＮＲの計算は、従来技術で既知である受信器３２の電気的な信号対雑音比を決定する方法とは異なっていることは理解されるであろう。
【図面の簡単な説明】
【００３４】
【図１】は本発明による光信号監視技術を含むＷＤＭ通信システムの模式図である。
【図２】は図１の通信網における１つのチャネルの光信号を測定する方法を示す図である。
【図３】は一連の９箇所の中間ノードで測定された、或る特定の信号のＯＳＮＲを図示したものである。
【図１】
2008521304.tif 000003
【図２】
2008521304.tif 000004
【図３】
2008521304.tif 000005
【国際調査報告】
2008521304.tif 000006
2008521304.tif 000007